(57)【要約】      （修正有）【課題】ディスプレイ内蔵の携帯式フィルム画像デジタル化スキャナを提供する。【解決手段】ディスプレイ内蔵の携帯式フィルム画像デジタル化スキャナは、本体１０及び画像処理装置２０を備え、前記本体１０の内部には撮影レンズ及び底サポートフレーム下方に設けるバックライトメカニズムを備える。本体１０の両側にはフィルム挿入スロット１１を形成してフィルムクリップを一方側から挿入させる。また、画像処理装置２０には複数の制御プッシュボタン２１１、メモリカードスロット２１２、及び内臓式ディスプレイ２２１（ＴＦＴ−ＬＣＤ）を備える蓋板２２を含む。前記フィルムクリップは内部にフィルムを固定し、並びにバックライトメカニズムの上方に定位させ、撮影レンズを使って取得したフィルムの画像は画像処理装置２０によってデジタルデータに変換し、直接ディスプレイ２２１上に表示して直接編集や修正を行うことができる。【選択図】図３
0003148434.tif 000002
【実用新案登録請求の範囲】
【請求項１】
本考案のディスプレイ内蔵の携帯式フィルム画像デジタル化スキャナにおいて、
本体は、その内部に撮影レンズ及び内部にバックライトメカニズムを設ける底サポートフレームを備え、本体の両側にはネガフィルムまたはポジフィルムを結合するフィルムクリップを一方側から挿入させる為のフィルム挿入スロットを形成し、画像取得やデジタルデータへの変換を行い、
前記本体に別に設ける画像処理装置は、複数の制御プッシュボタン及びメモリカードスロットを備えるメイン本体を含み、並びに開くことができる蓋板を結合し、その内側面にはディスプレイを設け、前記ディスプレイ及び各制御プッシュボタンは、スキャナを使用しない場合は蓋板の内側に隠されていることを特徴とするディスプレイ内蔵の携帯式フィルム画像デジタル化スキャナ。
【請求項２】
前記本体上面には蓋板の回動部を枢着する為の回転支持部を設置し、並びに蓋板の回動部上には接触加圧体を設け、本体上の接触加圧体との対応位置に備える接触加圧スイッチは接触加圧体と係合して接触加圧を行い、スキャナスイッチのオン及びオフを制御することを特徴とする請求項１記載のディスプレイ内蔵の携帯式フィルム画像デジタル化スキャナ。
【請求項３】
本体には接続ラインを接続する端子結合孔を設置してテレビやその他大型ディスプレイ設備と連結してはっきりとした画像再生を提供することを特徴とする請求項１記載のディスプレイ内蔵の携帯式フィルム画像デジタル化スキャナ。
【考案の詳細な説明】
【技術分野】
【０００１】
本考案は、フィルム上の画像をデジタルデータに迅速変換するディスプレイ内蔵の携帯式フィルム画像デジタル化スキャナに関するものである。
【背景技術】
【０００２】
初期において画像を記録する方法は主に伝統的なカメラがあり、内部に感光性フィルム（ポジフィルムまたはネガフィルム）を備えて画像を得た後、使用したフィルムを公知の写真に現像して我々に観賞を提供するものである。しかし、前記の公知フィルムはプラスチック素材であり保存が難しく、ある一定の時間が過ぎると破損や遺失し易いもので、元来の画像を再度現像することが不可能である故に、使用者の多くはこの点を遺憾に感じている。また、公知のフィルムに残る現像は固定状態であって修正ができず、これもまた使用上における欠点である。
【０００３】
公知の欠点に鑑み、本考案者はフィルム上の画像をデジタルデータに迅速変換する変換装置を設計し、並びに特許文献１の実用新案権を獲得した。顕著な改良が見られる当該構造は図１及び図２に示す通り、本体１、フレーム体２、底サポートフレーム３、及び底蓋４を備え、前記フレーム体２上部には撮影レンズ５１を組み合わせた回路板５を設け、底サポートフレーム３はフレーム体２の下部に結合し、その内部にはバックライトメカニズム３１を設置する。本体１の両側と底蓋４の間には二つが繋がる挿入スロット１１を形成し接続ライン１３によって結合している為、内部回路は接続コネクタ１３１を使ってパソコン本体に伝送する。また、図３及び図４に示す通り、本装置は簡単にスタートさせたり終了させられるポジフィルムクリップ６とネガフィルムクリップ７を別に備え、ポジフィルム６３、ネガフィルム７３をその内部に置いている。使用する場合は、フィルムを挟むフィルムクリップを本体１の挿入スロット１１から挿入し、何れかの方形状の穴内にあるフィルムを撮影レンズ５１に照準させた後、パソコンは接続ライン１３による制御または直接プッシュボタン１４を押すことにより、バックライトメカニズム３１を起動させて光線をフィルムに投射させ、並びに撮影レンズ５１で撮影し画像を得た後、プログラム処理を経てデジタルデータに変換しパソコン本体に伝送して修正または保存を行う。その後、押したフィルムクリップは出口端方向に移動し、次のフィルムの画像が得られる。
【０００４】
【特許文献１】登録実用新案第３１４４６１６号
【考案の開示】
【考案が解決しようとする課題】
【０００５】
しかし、前記装置はフィルム上の画像をデジタルデータに迅速変換できるが、画像データのデジタル化及び編集や保存を行う為には別にパソコンに接続する必要があり、単独作業が行えず、よって使用における不便性という問題点が残る。
【課題を解決するための手段】
【０００６】
考案人は再度研究を続け、単一機器の作業でフィルム上の画像をデジタルデータに迅速変換し、画像データの直接編集又は修正が行え、迅速保存効果を達成することが可能な本考案を生み出した。即ち本考案はディスプレイ内蔵の携帯式フィルム画像デジタル化スキャナに関するもので、単一機器で内部のバックライトメカニズムを撮影レンズに組合せたものである。それは簡単な操作で映像処理装置を経てフィルム上の画像を迅速にデジタルデータに変換し、並びにメモリカードがデジタルデータを直接保存するものである。また、内蔵式ディスプレイを結合することにより画像に修正や編集を直接加えるのを便利にし、ディスプレイの損傷を防ぐ働きも兼ねている。
【考案の効果】
【０００７】
考案者は再度研究を続け、単一機器の作業でフィルム上の画像をデジタルデータに迅速変換し、画像データの直接編集又は修正が行え、迅速保存効果を達成し、また、内蔵式ディスプレイを結合することにより画像に修正や編集を直接加えるのを便利にし、ディスプレイの損傷を防ぐ効果をも有している。
【考案を実施するための最良の形態】
【０００８】
本考案はディスプレイ内蔵の携帯式フィルム画像デジタル化スキャナであり、それは主に前述した通りフィルム上の画像をデジタルデータに迅速変換する変換装置に対する改良である。図５から図８に示す通り、本考案は本体１０を備え、その上部には開くことのできる蓋板２２を結合し、別にメイン本体２１、複数の制御プッシュボタン２１１、及びメモリカードスロット２１２を備える画像処理装置２０を設け、蓋板２２の内側面にはディスプレイ２２１を備え、本体１０上面の一方側には蓋板２２の回動部２２２を連結する為の回転支持部１２を設置し、本体１０内には公知と同様に撮影レンズ５１、バックライトメカニズム及び画像変換ソフト等を設け、更に本体１０の両側には左右の貫通するフィルム挿入スロット１１を備え、また蓋板２２の回動部２２２上には接触加圧体２２３を設け、本体１０上の接触加圧体２２３との対応位置に備える接触加圧スイッチ１５は、接触加圧体２２３と係合して接触加圧を行う。
【０００９】
図９を参照すると、本考案は、使用において（ネガフィルム７３を説明例とする）フィルムを挟んだネガフィルムクリップ７を本体１０のフィルム挿入スロット１１の一端から挿入して蓋板２２を持ち上げると、接触加圧体２２３は回転して接触加圧スイッチ１３を離れ、接触加圧スイッチ１５との接触加圧状態を解除して自動的に電源を起動させる。この時、ネガフィルムクリップ７の何れかの方形状の穴内のネガフィルム７３が本体１０内の撮影レンズに照準を合わせ（図２参考）、その後メイン本体２１上の制御プッシュボタン２１１を押すと、バックライトメカニズムが起動し発せられる光線がフィルムに投射され、並びに撮影レンズが撮影し画像を得た後、プログラム処理によりデジタルデータに変換され、フィルム画像を蓋板２２内側のディスプレイ２２１（例えばＴＦＴ−ＬＣＤ）上に表示する。また、メイン本体２１のメモリカードスロット２１２にメモリカード８を挿入し、制御プッシュボタン２１１の操作制御によって画像を直接メモリカード８内に保存することも可能である。その後、再び押したネガフィルムクリップ７が出口端に移動すると、次のフィルムの画像が得られる。同じフィルムクリップのフィルムを全て変換した後、フィルムクリップをフィルム挿入スロット１１の別の一端から取り出すと、内部のフィルムを交換して前述操作を続けることができる。これにより、簡単に画像を取得する目的を達成する。
【００１０】
また、本考案は接続ラインに組み合わせる端子結合孔（未図示）の設置も可能であり、テレビやその他大型ディスプレイ設備と連結して、取得したデジタルデータ画像をはっきり再生することができる。本考案は単一機器の作業においてポジフィルムまたはネガフィルム上の画像をデジタルデータに変換し、しかも本体１０上のディスプレイ２２１を用いて画像データの編集や修正が即刻行え、更に便利で実用的な機能を提供する。ディスプレイ２２１と制御プッシュボタン２１１は、使用しない場合は蓋板２２に隠れている為、ディスプレイを保護し誤接触を防止する効果を達成する。また、蓋板２２の開閉によってパソコン本体の電源スイッチをオン及びオフにする機能も有しており、それらは全て実用新案の効果向上条件を満たしている故、ここに法に依拠し出願を行う。
【図面の簡単な説明】
【００１１】
【図１】公知製品の立体図である。
【図２】公知製品の構造断面図である。
【図３】ポジフィルムクリップの立体図である。
【図４】ネガフィルムクリップの立体図である。
【図５】本考案の立体図である。
【図６】本考案の蓋板を開いた状態の立体図である。
【図７】図５の一部断面平面図である。
【図８】図６の一部断面平面図である。
【図９】本考案の実用状態図である。
【符号の説明】
【００１２】
１  本体
１０  本体
１１  挿入スロット
１２  回転支持部
１３  接続ライン
１５  接触加圧スイッチ
１３１  接続コネクタ
１４  プッシュボタン
２  フレーム体
２０  画像処理装置
２１  メイン本体
２１１  制御プッシュボタン
２１２  メモリカードスロット
２２  蓋板
２２１  ディスプレイ
２２２  回動部
２２３  接触加圧体
３  底サポートフレーム
３１  バックライトメカニズム
４  底蓋
５  回路板
５１  撮影レンズ
６  ポジフィルムクリップ
６３  ポジフィルム
７  ネガフィルムクリップ
７３  ネガフィルム
８  メモリカード
【図１】
0003148434.tif 000003
【図２】
0003148434.tif 000004
【図３】
0003148434.tif 000005
【図４】
0003148434.tif 000006
【図５】
0003148434.tif 000007
【図６】
0003148434.tif 000008
【図７】
0003148434.tif 000009
【図８】
0003148434.tif 000010
【図９】
0003148434.tif 000011